(57)【特許請求の範囲】
【請求項１】
計器類と、
前記計器類の周辺に配置される見返しと、
光源が実装された配線板と、
前記計器類を取り囲むように前記見返し内に設けられると共に、前記光源の発光面側に位置する環状の導光体と、
前記計器類を取り囲むように前記見返しの先端部に設けられると共に、前記導光体を透過した前記光源の光を前方に発光する環状の発光部と、
を備える計器であって、
前記環状の導光体は、
該導光体の周方向において前記計器類の前後方向に対する突出長が異なる、
計器。
【請求項２】
前記導光体の前記光源に面する部分である光源側面が略平坦である、請求項１に記載の計器。
【請求項３】
前記導光体の前記光源側面、及び、前記導光体の前記発光部に面する部分である発光側面の双方が、該導光体の周方向において前記計器類の前後方向に対する面位置が凹凸状に変化する連続面である、請求項２に記載の計器。
【請求項４】
前記光源が、前記計器類を照射する複数の照射用光源と、前記発光部を発光させる複数の発光用光源と、を含み、前記発光用光源の発光面側に前記導光体が位置する、請求項１〜請求項３のいずれか一項に記載の計器。
【発明の詳細な説明】
【技術分野】
【０００１】
本発明は、車両等の速度計やタコメータ等の計器類を備える計器に関する。
【背景技術】
【０００２】
車両や船舶や飛行機等（以後まとめて車両等と言う）の乗り物に搭載される計器は知られている。この種の計器の一例を図４に示す（特許文献１参照）。
【０００３】
図４（Ａ）は従来の計器の斜視図、（Ｂ）は計器の要部の拡大断面図である。従来の計器１００には、図４（Ａ）の左側からタコメータ２００ｃ、スピードメータ２００ａ、燃料計２００ｄである計器類２００が配列され、各計器類２００の外環には、見返し３００と、導光体６００と、発光体７００とが環状形成されている。また、見返し３００に挟持されるように導光体６００が配置され（図４（Ｂ）参照）、導光体６００の後端部には、光源５００が配置されている。導光体６００の前端部には、先端が三角形状を呈した反射面６００Ｓが設けられている。また、導光体６００の前端部に内嵌するように、断面三角形状で、リング状を呈するプリズム部材である発光体７００が設けられている。
【０００４】
上述の構成により、光源５００の非点灯時と点灯時では、異なる視認を呈している。即ち、非点灯時では、発光体７００が虚像として視認でき、点灯時では、光源５００からの照射光が、反射面６００Ｓでメータ内側方向に略全反射されて、発光体７００が発光し、運転者の視線方向のみに照射される。この結果、昼間の外観品質が良好であり、夜間でも導光体６００の前端部が、窓写りする虞が無い。また、部品点数の増大が抑制出来ると共に、メータ装置の配置等の設定の自由度を向上させることができることが開示されている。
【先行技術文献】
【特許文献】
【０００５】
【特許文献１】特開２００４−２５７７４９号公報
【発明の概要】
【発明が解決しようとする課題】
【０００６】
特許文献１に記載される計器１００においては、発光体７００は、導光体６００の反射面６００Ｓが発光しているが、この反射面６００Ｓ及び導光体６００は、見返し３００の先端部に挟持されるように配置されている。このため、見返し３００の外観形状等に制約されており、図４に示される通り、各計器類２１０の周辺のみに略円形状の発光体７００が配置されているにすぎず、設計自由度が少なく、計器１００全体の外観意匠に対する対応が困難である。特に、車両用の計器１００は、その用途以外に、ドライバーの目に触れる位置にあるため、計器類２００の立体的視認性等の表示品位を向上させる要求があるが、その要求に追従できない欠点がある。
【０００７】
本発明は、上述した事情に鑑みてなされたものであり、その目的は、発光部の配置位置に自由度を持たせると共に発光部の所望の輝度を確保し、表示品位を向上させた計器を提供することにある。
【課題を解決するための手段】
【０００８】
前述した目的を達成するために、本発明に係る計器は、下記（１）〜（４）を特徴としている。
（１）  計器類と、
前記計器類の周辺に配置される見返しと、
光源が実装された配線板と、
前記計器類を取り囲むように前記見返し内に設けられると共に、前記光源の発光面側に位置する環状の導光体と、
前記計器類を取り囲むように前記見返しの先端部に設けられると共に、前記導光体を透過した前記光源の光を前方に発光する環状の発光部と、
を備える計器であって、
前記環状の導光体は、
該導光体の周方向において前記計器類の前後方向に対する突出長が異なること。
（２）  上記（１）の構成の計器であって、
前記導光体の前記光源に面する部分である光源側面が略平坦であること。
（３）  上記（２）の構成の計器であって、
前記導光体の前記光源側面、及び、前記導光体の前記発光部に面する部分である発光側面の双方が、該導光体の周方向において前記計器類の前後方向に対する面位置が凹凸状に変化する連続面であること。
（４）  上記（１）から（３）のいずれか１つの構成の計器であって、
前記光源が、前記計器類を照射する複数の照射用光源と、前記発光部を発光させる複数の発光用光源と、を含み、前記発光用光源の発光面側に前記導光体が位置すること。
【０００９】
上記（１）の構成では、発光部に入射する光量を導光体により調整でき、発光部の安定した発光が確保できる。また、発光部の位置に導光体の突出長が追従でき、発光部の立体視認性が得られる計器を提供できる。
上記（２）の構成では、光源からの光が無駄なく導光体に入射し、入射量が一定と成るため、導光体の光学設計が容易となる。
上記（３）の構成では、発光部との離間距離を調整でき、発光部への入射光量を調整できる。
上記（４）の構成では、光源の機能を分離できるため、設計の自由度が広がる。
【発明の効果】
【００１０】
本発明によれば、計器類の配置に合わせて奥行き感を保持して発光部を自由に配置でき、また、見返しの奥行き形状に追従して光源光を確実に導光体から発光部に導くことができ、特に夜間等の計器類の外観品質を向上させた計器を提供できる。
【００１１】
以上、本発明について簡潔に説明した。更に、以下に説明される発明を実施するための形態を添付の図面を参照して通読することにより、本発明の詳細は更に明確化されるであろう。
【図面の簡単な説明】
【００１２】
【図１】図１は、本発明に係る計器の一実施形態を示す断面図である。
【図２】図２は、図１に係る計器の正面図である。
【図３】図３は、図２のＩＩＩ−ＩＩＩ線断面図である。
【図４】図４（Ａ）は従来の計器の斜視図、図４（Ｂ）は従来の計器の要部の拡大断面図である。
【発明を実施するための形態】
【００１３】
以下、本発明に係る好適な実施形態を図面に基づいて詳細に説明する。
【００１４】
＜具体的構成＞
図１に基づいて、本発明の一実施形態である計器１０を説明する。
【００１５】
図１は、計器１０の要部を示す断面図である。計器１０は、計器１０の略中央部に配置された複数の計器類２０と、計器類２０の文字板２１と指針２２とを取り囲むように計器１０の外周に配置された見返し３０と、見返し３０の前端を覆う表硝子３１と、見返し３０の後端に配置されたケース３２と、ケース３２の後端を覆う裏カバー３３と、から概略構成されている。ケース３２の前部（見返し３０側）には文字板２１が取り付けられ、ケース３２の後部（裏カバー３３側）には、配線板４０が取り付けられている。配線板４０の後部には、指針２２を回動自在に駆動するモーター等が設けられた内機４１が取り付けられている。
【００１６】
配線板４０には、複数のＬＥＤから成る光源５０が実装されている。光源５０は、計器類２０を後方から照射する複数の照射用光源５１と、後述する発光部７０を発光させる複数の発光用光源５２とからなる。発光用光源５２の発光方向に、発光用光源５２の光を透過させ所定方向に導くため、ポリカーボネイトやアクリル等の光透過性合成樹脂材料から成る導光体６０が設けられている。この導光体６０は、見返し３０の脚３０Ｓの内部に配置され、計器類２０を取り囲むように環状形成されている。見返し３０の先端部には、計器類２０を取り囲むように環状のポリカーボネイトやアクリル等の光透過性合成樹脂材料から成る発光部７０が設けられている。発光用光源５２から発光した光は、導光体６０の内部を透過して、発光部７０に導かれる。
【００１７】
また、導光体６０は、見返し３０の脚３０Ｓの内部に配置されているが、計器１０の前後方向に対して、発光用光源５２の近傍から前方に向かって（図面右側方向）突出するように形成されている。ここで述べる前後方向とは、図１の左右方向を示し、計器１０を車体等に取り付けた状態において、車両等の前後方向と一致している。そして、導光体６０の突出長（突出の長さ）は、配置場所によって変位している。例えば、見返し３０の上部（図１の上方向）と下部（図１の下方向）とでは、その突出長に相違がある。即ち、見返し３０の上部に於いては、導光体６０が、発光部７０に向かって突出長は長く、また、やや太く形成され、見返し３０の下部においては、突出長は短く、また、細く形成されている。なお、導光体６０の詳細形状は、図３にて詳述する。
【００１８】
発光用光源５２から発光した光は、導光体６０を透過しながら一定の方向性を保って集光し、導光体６０の光の出射面と離間した位置にある発光部７０に入射する。導光体６０の長さや太さを調整することにより導光体６０内の光の減衰を極力抑えることが可能となる。同時に、発光部７０内に入射する光量調整が可能となり、発光部７０の所望の明るさが得られる。
【００１９】
図２に基づいて、発光部７０の配置の一形態を説明する。図２は、本発明に係る計器１０の正面図である。
【００２０】
計器１０には、複数の計器類２０が配列されている。シフトインジケータ２５の左側（図面左側）には、速度計２０ａと水温計２０ｂが配置され、右側（図面右側）には、タコメータ２０ｃと燃料計２０ｄが配置されている。本発明に係る発光部７０は、シフトインジケータ２５の左側においては、速度計２０ａと水温計２０ｂとを取り囲むように設けられ、右側においては、タコメータ２０ｃと燃料計２０ｄとを取り囲むように設けられている。即ち、単一の計器類２０の周辺に発光部７０を設けるばかりでなく、本発明の一実施形態で示されるように、複数の計器類２０を取り囲むことも可能であり、デザインの要求に合わせて配置が適宜可能である。
【００２１】
見返し３０は、計器１０の外観形状を構成する部品であり、その外観形状は、デザイン上重要な要素である。同時に、見返し３０の先端に設けられた発光部７０の発光状態も重要である。導光体６０の場所による突出長等の形状の変化は、見返し３０の外観形状や奥行き形状に制約される必要が無く、発光部７０の安定した発光が確保でき、計器１０に要求される表示品位の向上が図れる。
【００２２】
図３に基づいて、導光体６０の一実施形態を詳述する。図３は、図２のＩＩＩ−ＩＩＩ線断面図である。
【００２３】
導光体６０は、前後方向（図面矢印Ｌ参照）に対して、突出長が場所により変位している。即ち、図面中央部近傍では、山形状に突出形成され、その両側では窪んだ形状に形成されている。発光用光源５２を基点にすると、導光体６０の突出の長さが変位していることが、図面からも明らかである。また、配線板４０に実装されている発光用光源５２側に面した部分を、導光体６０の光源側面６１、他面を導光体６０の発光側面６２と定義すると、光源側面６１は、発光用光源５２からの光を導光体６０に入射しやすくするために略平坦状に、発光側面６２は、出射光量を調整するために凹凸状の連続面として、それぞれ形成されている。導光体６０は、複数の発光用光源５２からの出射光を受け入れ、所望の場所に導き、発光側面６２から発光部７０に向かって出射する。
【００２４】
＜本発明のまとめ＞
本発明の実施形態に係る計器１０は、少なくとも一つ以上の計器類２０を備え、計器類２０の周辺に配置される見返し３０とケース３２と裏カバー３３と配線板４０とから成り、配線板４０には、複数のＬＥＤ等から成る光源５０が実装され、光源５０の発光面側には、見返し３０内に配置され、計器類２０を取り囲むように環状の導光体６０が設けられ、見返し３０の先端部には、導光体６０を透過した光源５０の光を前方に発光する発光部７０が、計器類２０を取り囲むように環状に設けられている。そして、導光体６０は、計器１０の前後方向に対して突出長が変位することを特徴としている。
【００２５】
この構成により、発光部７０に入射する光量を導光体６０により調整でき、発光部７０の安定した発光が確保できる。また、発光部７０の位置に導光体６０の突出長が追従でき、発光部７０の立体視認性が得られる計器１０を提供できる。
【００２６】
また、本発明の実施形態に係る計器１０は、導光体６０の光源５０に対応した部分の光源側面６１が、略平坦状に形成されていることを特徴としている。この構成により、光源５０からの光が無駄なく導光体６０に入射し、入射量が一定と成るため、導光体６０の光学設計が容易となる。
【００２７】
更に、本発明の実施形態に係る計器１０は、導光体６０の光源側面６１と他面部分の発光側面６２が、凹凸状に連続して形成されていることを特徴としている。この構成により、発光部７０との離間距離を調整でき、発光部７０への入射光量を調整できる。
【００２８】
そして、本発明の実施形態に係る計器１０は、光源５０が、計器類２０を照射する複数の照射用光源５１と、発光部７０を発光させる複数の発光用光源５２と、から成り、発光用光源５２の発光面側に導光体６０が設けられていることを特徴としている。この構成により、光源５０の機能を分離できるため、設計の自由度が広がる。
【００２９】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【００３０】
光源５０を照射用光源５１と発光用光源５２とに分けて詳述したが、照射用光源５１が発光用光源５２を兼ねていても良い。同様に、発光用光源５２が照射用光源５１を、兼ねていても良い。
【００３１】
発光部７０の安定した発光を詳述したが、輝度の安定に限らず、均一に発光することも含む概念であり、また、例えば、計器類２０の上部をやや暗く、下部をやや明るくして、発光による立体的視認性をも含まれる。
【００３２】
見返し３０も発光部７０と同様に導光材料による成形品とすることにより、見返し３０からの発光も可能となる。また、導光材料を透過材料や拡散材料とすることにより、発光の均一性を向上させることも可能である。
【符号の説明】
【００３３】
１０  計器
２０  計器類
３０  見返し
４０  配線板
５０  光源
５１  照射用光源
５２  発光用光源
６０  導光体
６１  光源側面
６２  発光側面
７０  発光部
【図１】
0005816052.tif 000002
【図２】
0005816052.tif 000003
【図３】
0005816052.tif 000004
【図４】
0005816052.tif 000005